(57)【要約】【課題】予期せぬ遅延が発生する場合でも通信品質に与える遅延の影響を低減する技術を提供する。【解決手段】第１取得部３２は、端末装置から第１データを取得する。第２取得部３８は、制御装置から第２データを取得する。判定部３４は、第１取得部３２において取得した第１データの品質と、第２取得部３８において取得した第２データの品質とを比較する。無線送信部４４は、判定部３４の比較結果をもとに、第１データおよび第２データのうち、品質が高い方の少なくとも一部を送信する。【選択図】図５
2019062368.tif 000002
【特許請求の範囲】
【請求項１】
端末装置から第１データを取得する第１取得部と、
制御装置から第２データを取得する第２取得部と、
前記第１取得部において取得した第１データの品質と、前記第２取得部において取得した第２データの品質とを比較する判定部と、
前記判定部の比較結果をもとに、第１データおよび第２データのうち、品質が高い方の少なくとも一部を送信する送信部と、
を備えることを特徴とする基地局装置。
【請求項２】
前記第２取得部は、複数の基地局装置のそれぞれが端末装置から受信した複数のデータの中から、制御装置によって、最も品質が高いデータとして選択されたデータを第２データとして取得することを特徴とする請求項１に記載の基地局装置。
【請求項３】
前記第１取得部において取得した第１データを制御装置に送信する第２の送信部をさらに備えることを特徴とする請求項１または２に記載の基地局装置。
【請求項４】
前記第１取得部は、複数の第１データを取得し、複数の第１データのそれぞれには、端末装置から受信した時刻を示す時刻情報が含まれており、
前記第２取得部において取得した第２データは、時刻情報を含み、
前記判定部は、第１データに含まれる時刻情報と、第２データに含まれる時刻情報との差が所定の条件を満たす場合に、第１データの品質と第２データの品質とを比較することを特徴とする請求項１から３のいずれか１項に記載の基地局装置。
【請求項５】
前記判定部は、第１データおよび第２データにそれぞれ含まれる、端末装置からデータを受信した際の受信信号強度、端末装置からデータを受信した際のエラーの程度、音声データに含まれるノイズ、のうちの少なくとも１つの情報をもとに、第１データの品質と第２データの品質とを比較することを特徴とする請求項１から４のいずれか１項に記載の基地局装置。
【請求項６】
前記送信部は、第２データを送信する際の送信電力よりも、第１データを送信する際の送信電力を小さくすることを特徴とする請求項１から５のいずれか１項に記載の基地局装置。
【請求項７】
端末装置から第１データを取得するステップと、
制御装置から第２データを取得するステップと、
取得した第１データの品質と、取得した第２データの品質とを比較するステップと、
比較結果をもとに、第１データおよび第２データのうち、品質が高い方の少なくとも一部を送信するステップと、
を含むことを特徴とする送信方法。
【請求項８】
端末装置から第１データを取得するステップと、
制御装置から第２データを取得するステップと、
取得した第１データの品質と、取得した第２データの品質とを比較するステップと、
比較結果をもとに、第１データおよび第２データのうち、品質が高い方の少なくとも一部を送信するステップとをコンピュータに実行させるためのプログラム。
【発明の詳細な説明】
【技術分野】
【０００１】
本発明は、通信技術に関し、特にデータを送信する基地局装置、送信方法、プログラムに関する。
【背景技術】
【０００２】
移動体通信システムにおけるすべての基地局装置を共通の周波数で運用することがある。１つの端末装置から送信されたパケット信号を複数の基地局装置で受信した場合、各基地局装置の上位に接続された制御局は、複数の基地局装置から送られたパケット信号の中から品質の高いパケットを選択して、ネットワークに伝送する（例えば、特許文献１）。
【先行技術文献】
【特許文献】
【０００３】
【特許文献１】特開２００２−３３５５８２号公報
【発明の概要】
【発明が解決しようとする課題】
【０００４】
このような処理では、基地局装置間での事前の測定結果に基づいた処理が実行される。しかしながら、従来技術においては、基地局装置と制御局との間のネットワークの遅延を考慮していない。例えば、基地局装置がＩＰ（Ｉｎｔｅｒｎｅｔ  Ｐｒｏｔｏｃｏｌ）ネットワークに接続される場合、ＩＰネットワークでは、リアルタイムかつ定量的な予測、測定が困難な遅延が発生する。ある基地局装置から送られたパケット信号の品質が良くても、大幅なネットワーク遅延が発生すると、そのデータが制御局まで届くのが遅れ、制御局での選択対象にならない場合がある。このような場合、制御局が最良の品質のパケットを選択できない可能性があり、通信品質が低下する可能性があった。このようなリアルタイムかつ定量的な予測、測定が困難な遅延が発生する場合であっても、その遅延の影響を抑制することが求められる。
【０００５】
本発明はこうした状況に鑑みてなされたものであり、その目的は、予期せぬ遅延が発生する場合でも通信品質に与える遅延の影響を低減する技術を提供することである。
【課題を解決するための手段】
【０００６】
上記課題を解決するために、本発明のある態様の基地局装置は、端末装置から第１データを取得する第１取得部と、制御装置から第２データを取得する第２取得部と、第１取得部において取得した第１データの品質と、第２取得部において取得した第２データの品質とを比較する判定部と、判定部の比較結果をもとに、第１データおよび第２データのうち、品質が高い方の少なくとも一部を送信する送信部と、を備える。
【０００７】
本発明の別の態様は、送信方法である。この方法は、端末装置から第１データを取得するステップと、制御装置から第２データを取得するステップと、取得した第１データの品質と、取得した第２データの品質とを比較するステップと、比較結果をもとに、第１データおよび第２データのうち、品質が高い方の少なくとも一部を送信するステップと、を含む。
【０００８】
なお、以上の構成要素の任意の組合せ、本発明の表現を方法、装置、システム、記録媒体、コンピュータプログラムなどの間で変換したものもまた、本発明の態様として有効である。
【発明の効果】
【０００９】
本発明によれば、予期せぬ遅延が発生する場合でも通信品質に与える遅延の影響を低減できる。
【図面の簡単な説明】
【００１０】
【図１】実施例に係る通信システムの構成を示す図である。
【図２】図１の通信システムによる処理の概要を示す図である。
【図３】図１の通信システムによる送信処理の概要を示す図である。
【図４】図１の通信システムにおいてＩＰネットワークの遅延が発生した場合に想定される処理の概要を示す図である。
【図５】図１の基地局装置の構成を示す図である。
【図６】図５の第１取得部に記憶されるデータのデータ構造を示す図である。
【図７】図５の通信部から送信されるパケット信号のデータ構造を示す図である。
【図８】図５の制御装置の構成を示す図である。
【図９】図８のパケット信号バッファ部に記憶されるデータのデータ構造を示す図である。
【図１０】図８の通信部から送信されるパケット信号のデータ構造を示す図である。
【図１１】図５の第２取得部に記憶されるデータのデータ構造を示す図である。
【図１２】図５の基地局装置による送信処理を示すフローチャートである。
【図１３】図１の通信システムにおける通信エリアの配置を示す図である。
【図１４】図５の判定部に記憶される送信電力設定テーブルのデータ構造を示す図である。
【図１５】図１４の場合における通信エリアの配置を示す図である。
【図１６】実施例に係る基地局装置情報制御装置に記憶される別の送信電力設定テーブルのデータ構造を示す図である。
【発明を実施するための形態】
【００１１】
本発明を具体的に説明する前に、まず概要を述べる。本発明の実施例は、基地局装置を介して互いに通信する複数の端末装置が含まれる通信システムに関する。本通信システムは、例えば、業務用無線システムに対応する。また、端末装置から基地局装置に向かう上りリンクの周波数（以下、「上り周波数」という）と、基地局装置から端末装置に向かう下りリンクの周波数（以下、「下り周波数」という）とは異なる。なお、上り周波数は、基地局装置における受信周波数に相当し、下り周波数は、基地局装置における送信周波数に相当する。一方、複数の基地局装置のそれぞれにおける上り周波数は同一であり、複数の基地局装置のそれぞれにおける下り周波数も同一である。以下では、１つの上り周波数と１つの下り周波数との組合せを「チャネル」ということもあるが、上り周波数または下り周波数の一方を「チャネル」ということもある。複数の基地局装置は制御装置に接続されており、制御装置は、各基地局装置を制御するとともに、基地局装置が端末装置からの発呼情報（送信情報）を受信した場合に、複数の基地局装置に、受信した発呼情報を転送する。これは、複数の基地局装置をまたいで、サイマルキャスト通信が実行されることに相当する。
【００１２】
１つの端末装置は、音声情報が含まれた発呼情報を送信する。発呼情報を受信した複数の基地局装置のそれぞれは、発呼情報をＩＰパケット化することによってパケット信号を生成し、ＩＰネットワークを介してパケット信号を制御装置に送信する。その際、基地局装置は、受信した発呼情報の品質に関する情報（以下、「品質情報」という）もパケット信号に格納する。制御装置は、複数の基地局装置のそれぞれから受信したパケット信号における品質情報を比較し、最高の品質情報が含まれたパケット信号の発呼情報を選択する。制御装置は、選択した発呼情報を複数の基地局装置のそれぞれが送信すべき時刻に関する情報（以下、「送信時刻」という）と発呼情報とが含まれたパケット信号を生成する。制御装置は、ＩＰネットワークを介して、複数の基地局装置にパケット信号を送信する。複数の基地局装置は、パケット信号を受信すると、パケット信号に含まれた送信時刻が到来した場合に発呼情報を送信する。複数の端末装置は、発呼情報を受信して、音声を再生する。１つの端末装置を使用するユーザの発話が続く限り、このような処理は定期的に繰り返して続けられる。
【００１３】
複数の基地局装置のそれぞれから制御装置への経路のうちの１つにおいて遅延が発生した場合、１つの基地局装置からのパケット信号の受信が、制御装置における発呼情報の選択に間に合わないこともある。その際、制御装置は、残りのパケット信号のうちの１つに含まれた発呼情報を選択して、前述の処理を実行する。当該１つの基地局装置は、制御装置からのパケット信号を受信すると、パケット信号に含まれた発呼情報を送信するが、パケット信号に含まれた発呼情報の品質よりも、受信した発呼情報の品質の方が高い場合がある。つまり、受信した発呼情報の品質よりも低い品質の発呼情報を送信する状況が発生する。
【００１４】
本実施例では、ＩＰネットワークの遅延によって１つの基地局装置からのパケット信号が制御装置に正常に受信されなかった場合に備えて、可能な範囲で基地局装置が最も品質の高い発呼情報を送信可能となる手段が設けられる。各基地局装置は、制御装置に送信すべきパケット信号に含まれる発呼情報をバッファに記憶する。また、各基地局装置は、記憶した発呼情報の品質と、制御装置からのパケット信号に含まれる発呼情報の品質とを比較し、前者の方が後者よりも高ければ、記憶した発呼情報を送信する。
【００１５】
図１は、通信システム１００の構成を示す。通信システム１００は、ＩＰネットワーク１０、制御装置１２、基地局装置１４と総称される第１基地局装置１４ａ、第２基地局装置１４ｂ、第３基地局装置１４ｃ、端末装置１６と総称される第１端末装置１６ａ、第２端末装置１６ｂ、第３端末装置１６ｃ、同期制御用基準装置２０と総称される第１同期制御用基準装置２０ａ、第２同期制御用基準装置２０ｂ、第３同期制御用基準装置２０ｃ、第４同期制御用基準装置２０ｄを含む。ここで、通信システム１００に含まれる基地局装置１４の数は「３」に限定されず、端末装置１６の数は「３」に限定されず、それらより多くてもよく、それらよりも少なくてもよい。
【００１６】
複数の端末装置１６、複数の基地局装置１４は、前述のごとく、業務用無線システムに対応しており、各端末装置１６は、１つ以上の基地局装置１４を介して、音声通信を実行する。各端末装置１６はＰＴＴ（Ｐｕｓｈ  Ｔｏ  Ｔａｌｋ）ボタンを備え、ＰＴＴボタンが押し下げられた端末装置１６はユーザの音声を発呼情報として基地局装置１４に送信する。複数の基地局装置１４は、端末装置１６からの発呼情報を受信すると、発呼情報が含まれたパケット信号を生成し、パケット信号をＩＰネットワーク１０を介して制御装置１２に送信する。その際、複数の基地局装置１４は、発呼情報の品質として、受信感度（ＲＳＳＩ：Ｒｅｃｅｉｖｅｄ  Ｓｉｇｎａｌ  Ｓｔｒｅｎｇｔｈ  Ｉｎｄｉｃａｔｏｒ）、発呼情報のエラー率などを測定し、測定結果である品質情報もパケット信号に含める。
【００１７】
制御装置１２は、複数の基地局装置１４からのパケット信号を受信し、各パケット信号に含まれた品質情報をもとに、最高の品質情報を含んだパケット信号の発呼情報を選択する。また、制御装置１２は、選択された発呼情報に対する送信時刻を生成し、送信時刻と発呼情報とが含まれたパケット信号を、ＩＰネットワーク１０を介して複数の基地局装置１４に送信する。ここで、制御装置１２には、第４同期制御用基準装置２０ｄが接続されており、第４同期制御用基準装置２０ｄは、例えば、高精度ＮＴＰ（Ｎｅｔｗｏｒｋ  Ｔｉｍｅ  Ｐｒｏｔｏｃｏｌ）サーバ、ＧＰＳ（Ｇｌｏｂａｌ  Ｐｏｓｉｔｉｏｎｉｎｇ  Ｓｙｓｔｅｍ）受信装置である。第４同期制御用基準装置２０ｄは、基準となる時刻（以下、「基準時刻」という）を生成し、制御装置１２は、基準時刻をもとに送信時刻を生成する。
【００１８】
複数の基地局装置１４は、パケット信号を受信すると、パケット信号から送信時刻と発呼情報とを抽出する。各基地局装置１４にも同期制御用基準装置２０が接続されており、基地局装置１４は、同期制御用基準装置２０から取得した基準時刻が送信時刻を経過した場合に、発呼情報を送信する。ここで、第１同期制御用基準装置２０ａから第４同期制御用基準装置２０ｄは、同期されているので、第１基地局装置１４ａから第３基地局装置１４ｃは、発呼情報を同一のタイミングで送信する。そのため、通信システム１００は、サイマルキャストシステムであるといえる。端末装置１６は、基地局装置１４からの発呼情報を受信する。
【００１９】
図２は、通信システム１００による処理の概要を示す。第１基地局装置１４ａから第３基地局装置１４ｃからＩＰネットワーク１０経由で制御装置１２に送信されるパケット信号には発呼情報と、基地局装置１４が端末装置１６から発呼情報を受信した通話受信時刻が含まれる。制御装置１２は各基地局装置１４から受信したパケット信号をバッファに保存し、パケット信号内の通話受信時刻が数ミリｓｅｃの一定期間内に含まれるパケット信号のそれぞれに、同一の発呼情報が含まれていると見なす。制御装置１２は、同一の発呼情報であると見なされた複数の発呼情報のうち、最も品質の高い発呼情報を選択する。
【００２０】
制御装置１２は、選択した発呼情報と、送信時刻とが含まれたパケット信号を生成し、パケット信号をＩＰネットワーク１０経由で第１基地局装置１４ａから第３基地局装置１４ｃに送信する。この送信時刻は、すべての基地局装置１４において送信タイミングを一致させる目的で設定されるので、すべての基地局装置１４に対して同じ値とされる。また、送信時刻は、ＩＰネットワーク１０の遅延時間を考慮した値とされる。
【００２１】
図３は、通信システム１００による送信処理の概要を示す。制御装置１２は、パケット信号Ｎからパケット信号Ｎ＋５を一定間隔で基地局装置１４に送信する。基地局装置１４は、各バッファに格納した後、パケット信号に含まれた送信時刻を抽出するとともに、同期制御用基準装置２０から得られる基準時刻が送信時刻に到来した場合に、発呼情報を送信する。そのため、パケット信号Ｎからパケット信号Ｎ＋５のそれぞれに含まれた発呼情報Ｎから発呼情報Ｎ＋５が一定間隔で送信される。
【００２２】
図４は、通信システム１００においてＩＰネットワークの遅延が発生した場合に想定される処理の概要を示す。前述のごとく、ＩＰネットワーク１０では、予期できないネットワーク遅延が性質上発生する場合がある。このネットワーク遅延は回線の設置状態（ベストエフォート／ギャランティ等）やトラヒックの使用状況に左右され、定量的に予測することが極めて困難である。そのため、各基地局装置１４が制御装置１２へパケット信号を送信した後に予期せぬネットワーク遅延が発生した場合、制御装置１２が正常にパケット信号を受信できない状態となる。第３基地局装置１４ｃから送信されたパケット信号は、ネットワーク遅延により一定期間内に制御装置１２に到着しない状態になっている。そのため、制御装置１２における発呼情報の品質評価は、第１基地局装置１４ａおよび第２基地局装置１４ｂからのパケット信号のみが対象となる。
【００２３】
ここで、各基地局装置１４が端末装置１６より受信した発呼情報の品質が、第３基地局装置１４ｃにおいて最も高く、第１基地局装置１４ａにおいて最も低い場合を想定する。しかしながら、第３基地局装置１４ｃからの発呼情報は評価の対象にならないので、第３基地局装置１４ｃからの発呼情報の品質が最も高いにもかかわらず、各基地局装置１４には第２基地局装置１４ｂからの発呼情報が配信される。その結果、各基地局装置１４は品質が最高でない発呼情報を送信する。
【００２４】
これに対応するための本実施例を説明するが、ここでは処理の時系列にしたがって、（１）基地局装置１４での受信処理、（２）制御装置１２での選択処理、（３）基地局装置１４での送信処理の順に説明する。
【００２５】
（１）基地局装置１４での受信処理
図５は、基地局装置１４の構成を示す。基地局装置１４は、無線受信部３０、第１取得部３２、判定部３４、通信部３６、第２取得部３８、検出部４０、制御部４２、無線送信部４４を含む。検出部４０は、図１の同期制御用基準装置２０に接続され、同期制御用基準装置２０から基準時刻を順次取得する。無線受信部３０は、業務用無線システムに対応した受信処理を実行することによって、端末装置１６からの信号を受信する。ここで、無線受信部３０は、１つの端末装置１６からの発呼情報を受信すると、検出部４０から基準時刻を通話受信時刻として取得する。発呼情報には音声情報が含まれる。また、無線受信部３０は、通話受信時刻と発呼情報とを含むようにパケット信号を生成する。ここで、パケット信号は、例えば１００ミリｓｅｃ単位で生成される。無線受信部３０は、パケット信号を第１取得部３２に出力する。
【００２６】
判定部３４は、第１取得部３２が受けつけたパケット信号に含まれた発呼情報の品質を判定する。前述のごとく、発呼情報の品質を示す指標としてＲＳＳＩ、エラー率等が用いられる。判定部３４は、測定結果を品質情報として第１取得部３２に出力する。第１取得部３２は、パケット信号を無線受信部３０から取得するとともに、当該パケット信号に含まれた発呼情報の品質情報を判定部３４から取得する。第１取得部３２は、品質情報もパケット信号に含めてから、パケット信号を記憶する。そのため、第１取得部３２は、送信パケット信号バッファ部ともいえる。
【００２７】
図６は、第１取得部３２に記憶されるデータのデータ構造を示す。通話受信時刻は端末装置１６からの発呼情報を受信した時刻情報を示し、データ領域には端末装置１６からの発呼情報および品質情報が記録される。第１取得部３２は、一定数（例として５）のパケット信号を格納可能であり、バッファ数が上限に達している状態で新たにパケット信号を追記する場合、通話受信時刻が古いパケット信号から順に削除する。ここでは、通話受信時刻が「１０：１０：３２：５０２」のパケット信号が新たに追記された場合、通話受信時刻が「１０：１０：３２：００２」であるＮｏ．０１のパケット信号が削除される。図５に戻る。
【００２８】
第１取得部３２は追記されたパケット信号を通信部３６に出力する。通信部３６は、第１取得部３２からのパケット信号を受けつける。通信部３６は、図１のＩＰネットワーク１０に接続されており、ＩＰネットワーク１０経由で制御装置１２にパケット信号を送信する。このような送信処理を実行する通信部３６は送信部であるともいえる。図７は、通信部３６から送信されるパケット信号のデータ構造を示す。図示のごとく、通話受信時刻、発呼情報、品質情報が含まれる。図５における他の構成要素の説明は後述する。
【００２９】
（２）制御装置１２での選択処理
図８は、制御装置１２の構成を示す。制御装置１２は、通信部５０、パケット信号バッファ部５２、判定部５４、検出部５６、パケット信号配信部５８を含む。通信部５０は、図示しないＩＰネットワーク１０に接続されており、ＩＰネットワーク１０を介して、各基地局装置１４からのパケット信号を受信する。通信部５０は、パケット信号をパケット信号バッファ部５２に出力する。
【００３０】
検出部５６は、図１の同期制御用基準装置２０に接続され、同期制御用基準装置２０から基準時刻を順次取得する。パケット信号バッファ部５２は、通信部５０からパケット信号を受けつけるとともに、パケット信号を受けつけた基準時刻を検出部５６から受けつける。パケット信号バッファ部５２は、通信部５０から受けつけたパケット信号を記憶する。図９は、パケット信号バッファ部５２に記憶されるデータのデータ構造を示す。送信元基地局装置名にはパケット信号を送信した基地局装置１４の名称が記憶され、パケット信号受信時刻には制御装置１２がパケット信号を受信した時刻が示され、通話受信時刻およびデータ領域にはパケット信号の内容がそのまま記録される。図８に戻る。
【００３１】
パケット信号配信部５８は、パケット信号バッファ部５２に記憶されたパケット信号内の通話受信時刻を参照し、以前受信した発呼情報とは同一でない発呼情報のパケット信号（新規の発呼情報のパケット信号）を特定する。新たに受信したパケット信号の通話受信時刻と、過去に受信したパケット信号の通話受信時刻との時間差が、所定値以下である場合に、新規の発呼情報と判定する。例えば、この所定値を５ミリｓｅｃとする。図９の場合、Ｎｏ．０３のパケット信号の通話受信時刻は「１０：１０：３２：００２」であり、Ｎｏ．０４のパケット信号の通話受信時刻は「１０：１０：３２：１０２」である。これらには１００ミリｓｅｃの間隔があるので、Ｎｏ．０３の発呼情報とＮｏ．０４の発呼情報は同一でないと判定される。その際、パケット信号配信部５８は、Ｎｏ．０４のパケット信号のパケット信号の受信時刻を始点としたタイマＴを動作させる。すなわち、新規の発呼情報のパケット信号であると判定した場合、パケット信号配信部５８は、そのパケット信号の受信時刻を始点としてタイマＴを動作させる。タイマＴの終了時刻はＩＰネットワーク１０の回線速度等により設定され、本実施例では、例えば５０ミリｓｅｃとされる。
【００３２】
タイマＴの終了時、図９の場合、Ｎｏ．０５の第２基地局装置１４ｂからのパケット信号およびＮｏ．０６の第３基地局装置１４ｃからのパケット信号を受信した状態となる。Ｎｏ．０５およびＮｏ．０６のパケット信号の通話受信時刻はそれぞれ「１０：１０：３２：１０２」「１０：１０：３２：１０３」であり、タイマＴを動作させたパケット信号の受信時刻との時間差が所定値以下である。そのため、Ｎｏ．０４の発呼情報と同一の通話内容であると判定される。パケット信号配信部５８は、判定部５４にＮｏ．０４、Ｎｏ．０５、Ｎｏ．０６のパケット信号の品質情報の比較を指示する。判定部５４は、Ｎｏ．０４、Ｎｏ．０５、Ｎｏ．０６の品質情報から最も品質の高いパケット信号を特定し、パケット信号配信部５８に通知する。
【００３３】
パケット信号配信部５８は、判定部５４から通知されたパケット信号と、送信時刻とをもとにパケット信号を生成する。図１０は、通信部５０から送信されるパケット信号のデータ構造を示す。図示のごとく、送信時刻、通話受信時刻、発呼情報、品質情報が含まれる。なお、図１０には示していないが、通信部５０から送信されるパケット信号に、送信元基地局装置に関する情報（当該パケット信号を受信した基地局装置１４を示す情報）を含めてもよい。図８に戻る。送信時刻は、ＩＰネットワーク１０の回線速度等により設定される。例えば、最先の通話受信時刻の１００ミリｓｅｃ後の時刻が設定される。なお、品質情報が比較されたパケット信号Ｎｏ．０４、Ｎｏ．０５、Ｎｏ．０６は、一定期間後にパケット信号バッファ部５２から削除されてもよい。
【００３４】
なお、判定部５４における品質の判定は、例えば、次のようになされる。
（Ａ）第１の方法は、ＲＳＳＩを用いる方法である。この場合、品質情報には、基地局装置１４における無線受信部３０が発呼情報を受信した際のＲＳＳＩ値が示される。判定部５４は、比較対象の品質情報の中で、ＲＳＳＩ値が最も大きなものを選択する。
（Ｂ）第２の方法は、エラーに関する情報を用いる方法である。この場合、品質情報には、無線受信部３０が発呼情報を受信した際の無線通信で発生したエラーの多さ（エラー数、エラー率など）を示す数値、またはエラー訂正処理によって訂正されたエラーの多さ（エラー数、エラー率など）を示す数値が示される。判定部５４は、比較対象の品質情報の中で、エラーの程度を示す数値が最も小さなものを選択する。
【００３５】
（Ｃ）第３の方法は、発呼情報を用いる方法である。判定部５４は、各パケット信号の発呼情報を信号解析し、音声以外のノイズ成分を検出する。例えば、音声に特有な帯域以外の周波数成分や、時間的な振幅変化が所定値以上の成分をノイズ成分とすればよい。そして、比較対象の発呼情報の中で、ノイズ成分が最も小さなものを選択する。なお、判定部５４は、音声成分とノイズ成分を両方算出し、それらの比であるＳＮ比を算出し、ＳＮ比が最も位大きな発呼情報を選択してもよい。なお、この第３の方法を用いる場合は、各パケット信号の品質情報を省略可能である。
【００３６】
また、第１の方法から第３の方法を組み合わせて、品質を判定してもよい。例えば、ＲＳＳＩ値をＲ、エラーの程度を示す数値をＥ、ノイズ成分を示す数値をＮとして、式（１）に示す演算により総合的なスコアＳを算出する。ここで、α、β、γは重み係数であり、α＞０、β＜０、γ＜０である。そして、総合スコアＳが最も大きなパケット信号を選択する。
Ｓ＝αＲ+βＥ+γＮ 式（１）
パケット信号配信部５８は、生成したパケット信号を通信部５０に出力する。通信部５０は、パケット信号をＩＰネットワーク１０経由で第１基地局装置１４ａから第３基地局装置１４ｃに送信する。
【００３７】
（３）基地局装置１４での送信処理
図５に示された基地局装置１４の通信部３６は、ＩＰネットワーク１０を介して制御装置１２からのパケット信号を受信すると、パケット信号を第２取得部３８に出力する。このような受信処理を実行する通信部３６は受信部といえる。また、受信処理は送信処理がなされていない場合においてもなされる。
【００３８】
第２取得部３８は、通信部３６からのパケット信号を取得する。第２取得部３８はパケット信号を記憶する。そのため、第２取得部３８は、受信パケット信号バッファ部ともいえる。なお、第２取得部３８は、検出部４０から基準時刻を受けつけており、パケット信号内の送信時刻が基準時刻を経過していた場合、当該パケット信号を記憶しない。図１１は、第２取得部３８に記憶されるデータのデータ構造を示す。図示のごとく、送信時刻、通話受信時刻、データ領域が含まれ、データ領域には、発呼情報、品質情報が含まれる。このような第２取得部３８は、複数の基地局装置１４のそれぞれが端末装置１６から受信した複数の発呼情報の中から、制御装置１２によって、最も品質が高いデータとして選択された発呼情報を取得するといえる。図５に戻る。
【００３９】
ここで、判定部３４、制御部４２の処理を説明するために、図１２を使用する。図１２は、基地局装置１４による送信処理を示すフローチャートである。制御部４２は、検出部４０から基準時刻を取得する（Ｓ１００）。制御部４２は、第２取得部３８内のパケット信号内の送信時刻を監視し、基準時刻が送信時刻を経過しているパケット信号が存在するか否かを判定する（Ｓ１１０）。基準時刻が送信時刻を経過しているパケット信号が存在しない場合（Ｓ１１０のＮ）、Ｓ１００に戻る。なお、Ｓ１００に戻る前に、所定の時間処理を停止（スリープ）してもよい。基準時刻が送信時刻を経過しているパケット信号が存在する場合（Ｓ１１０のＹ）は、Ｓ１２０に進む。
【００４０】
制御部４２は、Ｓ１１０で基準時刻が送信時刻を経過していると判定したパケット信号（送信予定パケット信号）内の通話受信時刻を取得する（Ｓ１２０）。次に、制御部４２は、第１取得部３２内のパケット信号を対象にして、その通話受信時刻が、Ｓ１２０で取得した通話受信時刻と一定期間（例えば、数ミリｓｅｃ）の範囲に含まれるパケット信号が存在するか否かを判定する（Ｓ１３０）。一定期間に含まれるパケット信号が存在しない場合（Ｓ１３０のＮ）、制御部４２は第２取得部３８内のパケット信号に含まれる発呼情報を送信する（Ｓ２００）。その後、制御部４２は第２取得部３８から送信した発呼情報を含むパケット信号を削除する（Ｓ３００）。
【００４１】
一定期間に含まれるパケット信号が存在する場合（Ｓ１３０のＹ）、以下の処理が行われる。なお、一定期間に含まれる第１取得部３２内のパケット信号を以下では「直接受信パケット信号」と称する。制御部４２は、判定部３４に、送信予定パケット信号と直接受信パケット信号とを通知する。２つのパケット信号の発呼情報あるいは品質情報そのものを通知してもよいし、これらの情報を記憶しているバッファのアドレスを通知してもよい。
【００４２】
判定部３４は、送信予定パケット信号に含まれた発呼情報の品質を評価する（Ｓ１４０）。判定部３４は、直接受信パケット信号に含まれた発呼情報の品質を評価する（Ｓ１５０）。判定部３４は、送信予定パケット信号および直接受信パケット信号のどちらの発呼情報の品質が優れているかを判定する（Ｓ１６０）。つまり、判定部３４は、直接受信パケット信号に含まれる発呼情報の品質と、送信予定パケット信号に含まれる発呼情報の品質とを比較する。なお、このような比較は、直接受信パケット信号に含まれる時刻情報と、送信予定パケット信号に含まれる時刻情報との差が所定の条件を満たす場合になされる。また、比較には、制御装置１２の判定部５４と同様に、ＲＳＳＩ、エラーの程度、音声データに含まれるノイズのうちの少なくとも１つの情報が使用される。
【００４３】
直接受信パケット信号の品質が高いと判定した場合（Ｓ１６０のＹ）、制御部４２は第１取得部３２内のパケット信号に含まれる発呼情報を送信する（Ｓ２１０）。直接受信パケット信号の品質が高くないと判定した場合（Ｓ１６０のＮ）、制御部４２は第２取得部３８内のパケット信号に含まれる発呼情報を送信する（Ｓ２００）。その後、制御部４２は第２取得部３８から送信した発呼情報を含むパケット信号を削除する（Ｓ３００）。
【００４４】
なお、図１２には示していないが、制御装置１２から配信されたパケット信号に、「送信元基地局装置名」を含めた上で、「送信元基地局装置名」がパケット信号を受信した基地局装置（当該基地局装置）の「基地局装置名」と一致する場合は、第１取得部３２内を探す処理（Ｓ１３０）を省略し、第２取得部３８内のパケット信号を送信してもよい（Ｓ２００）。図５に戻る。
【００４５】
無線送信部４４は、業務用無線システムに対応した送信処理を実行することによって、第１取得部３２に記憶されたパケット信号に含まれた発呼情報、あるいは第２取得部３８に記憶されたパケット信号に含まれた発呼情報を端末装置１６に送信する。つまり、無線送信部４４は、第１取得部３２に記憶されたパケット信号に含まれた発呼情報、あるいは第２取得部３８に記憶されたパケット信号に含まれた発呼情報のうち、品質が高い方を送信する。なお、端末装置１６が無線通信システムの監視機能などを備えている場合に、無線送信部４４は、品質データを含むパケット信号全体を送信してもよい。
【００４６】
ここでは、このような構成による効果を具体的に説明する。図６、図１１はそれぞれ第３基地局装置１４ｃの第１取得部３２、第２取得部３８に記憶されたデータであるとする。図９の制御装置１２内のパケット信号バッファ部５２では、図９のごとく、同一の発呼情報としてＮｏ．０７にて第１基地局装置１４ａ、Ｎｏ．０８にて第２基地局装置１４ｂからのパケット信号を受信している。一方、第３基地局装置１４ｃは、それらと同一の発呼情報として、図６におけるＮｏ．０３のデータを受信しているが、そのデータは、第３基地局装置１４ｃからのパケット信号はＩＰネットワーク１０の遅延により正常な時刻に制御装置１２へ到達していない状態となっている。また、端末装置１６から受信した発呼情報の品質が、「第３基地局装置１４ｃ（高品質）＞第２基地局装置１４ｂ（中品質）＞第１基地局装置１４ａ（低品質）」であった場合を想定する。
【００４７】
その場合、第３基地局装置１４ｃのパケット信号は制御装置１２において品質比較処理の対象とならないので、各基地局装置１４には第２基地局装置１４ｂ（中品質）のパケット信号が配信される。従来技術であれば各基地局装置１４は第２基地局装置１４ｂが受信した中品質程度の発呼情報を送信するが、本実施例によれば第３基地局装置１４ｃは自身の第１取得部３２に保持している高品質な発呼情報を送信する。これによりＩＰネットワーク１０で遅延が発生し基地局装置１４から制御装置１２へパケット信号が正常に送信できない場合でも、可能な範囲で各基地局装置１４はより品質の高い発呼情報を送信できる。
【００４８】
各基地局装置１４が発呼情報の品質を判定することによって送信すべき発呼情報を切りかえた場合、ある基地局装置１４は制御装置１２からの発呼情報を送信し、別の基地局装置１４は自身の発呼情報を送信する場合もある。これは、複数の基地局装置１４から互いに異なった発呼情報が送信されることに相当する。図１３は、通信システム１００における通信エリア１８の配置を示す。各基地局装置１４は、通信可能なエリアとして通信エリア１８を形成する。具体的に説明すると、第１基地局装置１４ａは第１通信エリア１８ａを形成し、第２基地局装置１４ｂは第２通信エリア１８ｂを形成し、第３基地局装置１４ｃは第３通信エリア１８ｃを形成する。また、第１基地局装置１４ａから第３基地局装置１４ｃでは同一のチャネルが使用されるので、第１通信エリア１８ａから第３通信エリア１８ｃでも同一のチャネルが使用される。
【００４９】
通信エリア１８が重複する部分において異なった発呼情報が送信されると、干渉が発生する可能性がある。ここでは、第１基地局装置１４ａ、第２基地局装置１４ｂが制御装置１２からの発呼情報を送信し、第３基地局装置１４ｃが自身の発呼情報を送信する場合を想定する。その場合、第１通信エリア１８ａと第３通信エリア１８ｃが重複する部分と、第２通信エリア１８ｂと第３通信エリア１８ｃが重複する部分とにおいて、干渉が発生する。
【００５０】
これに対応するために、制御装置１２からの発呼情報を送信するか、あるいは基地局装置１４内に保持している発呼情報を送信するかに応じて、発呼情報を送信する際の送信電力を切りかえてもよい。図１４は、制御部４２に記憶される送信電力設定テーブルのデータ構造を示す。送信電力設定テーブルには、発呼情報元（制御装置１２あるいは基地局装置１４）毎の送信電力が設定される。発呼情報元が制御装置１２である場合には、送信電力には通常の通信エリア１８を形成するための値が設定される。一方、発呼情報元が基地局装置１４である場合には、送信電力には隣接する基地局装置と通信エリア１８を重複させないための値が設定される。例えば、制御装置１２からの発呼情報を送信する場合には送信電力が５０Ｗに設定され、基地局装置１４が保持している発呼情報を送信する場合には送信電力が３０Ｗに設定される。つまり、無線送信部４４は、基地局装置１４が保持している発呼情報を送信する場合に、制御装置１２からの発呼情報を送信する場合よりも送信電力を小さくする。
【００５１】
図１５は、図１４の場合における通信エリア１８の配置を示す。これは、図１３と同様に示される。第３通信エリア１８ｃは、第１通信エリア１８ａ、第２通信エリア１８ｂよりも狭くなる。これにより、第３通信エリア１８ｃは、第１通信エリア１８ａ、第２通信エリア１８ｂに重複しなくなる。その結果、第１通信エリア１８ａと第３通信エリア１８ｃとの間と、第２通信エリア１８ｂと第３通信エリア１８ｃとの間における干渉が発生しにくくなる。
【００５２】
送信電力設定テーブルは、基地局装置１４にではなく、ＩＰネットワーク１０に接続された基地局装置情報制御装置（図示せず）に記憶されてもよい。基地局装置情報制御装置は、各基地局装置１４の通信エリア１８の重複状態と、各基地局装置１４が発呼情報を送信する際の送信電力を一元管理する。
【００５３】
図１６は、基地局装置情報制御装置に記憶される別の送信電力設定テーブルのデータ構造を示す。基地局装置名には各基地局装置１４の名称が示され、発呼情報元は制御装置１２あるいは基地局装置１４の発呼情報元種別が示され、送信電力には制御装置１２あるいは基地局装置１４の送信電力値が示される。送信電力設定テーブルは、通信システム１００の運用者が基地局装置１４を設置した際、あるいは設置済み基地局装置１４の設置場所を変更した場合等に更新される。各基地局装置１４は任意のタイミングで基地局装置情報制御装置から送信電力値を取得し、発呼情報毎に発呼情報を送信する際の送信電力の切り変えを行う。また、基地局装置情報制御装置は制御装置１２に含まれてもよい。
【００５４】
上述の制御装置１２および基地局装置１４は、ハードウエア的には、任意のコンピュータのＣＰＵ、メモリ、その他のＬＳＩで実現でき、ソフトウエア的にはメモリにロードされたプログラムなどによって実現されるが、ここではそれらの連携によって実現される機能ブロックを描いている。したがって、これらの機能ブロックがハードウエアのみ、ハードウエアとソフトウエアの組合せによっていろいろな形で実現できることは、当業者には理解されるところである。
【００５５】
本実施例によれば、端末装置からの発呼情報の品質と、制御装置からの発呼情報の品質との比較結果をもとに、品質が高い方の発呼情報を送信するので、制御装置からの発呼情報の品質よりも端末装置からの発呼情報の品質の方が高い場合に、端末装置からの発呼情報を送信できる。また、複数の基地局装置のそれぞれが端末装置から受信した複数の発呼情報の中から、制御装置によって最も品質が高い発呼情報を受信する場合でも、当該発呼情報の品質よりも高い端末装置からの発呼情報を送信できる。また、端末装置からの発呼情報を制御装置に送信するので、端末装置からの発呼情報を制御装置において他の基地局装置からの発呼情報と比較させることができる。
【００５６】
また、端末装置からの発呼情報の品質と、制御装置からの発呼情報の品質との比較結果をもとに、品質が高い方の発呼情報を送信するので、制御装置への経路において予期せぬ遅延や障害が発生する場合でも、通信品質に与える遅延や障害の影響を低減できる。また、ＩＰネットワークの遅延により基地局装置から制御装置へパケット信号が正常に送信できなかった場合でも、基地局装置が一定数のパケット信号を保持するので、より高い品質の発呼情報を送信できる。また、基地局装置と制御装置間でネットワーク遅延が発生した場合でも可能な範囲で最も品質の高い発呼情報を送信できる。
【００５７】
また、端末装置からの発呼情報に対する時刻情報と、制御装置からの発呼情報に対する時刻情報との差が所定の条件を満たす場合に、これらの品質を比較するので、同一の音声情報の内容が含まれた発呼情報の品質を比較できる。また、ＲＳＳＩ、エラーの程度、ノイズの少なくとも１つを比較するので、品質を正確に比較できる。また、制御装置からの発呼情報を送信する際の送信電力よりも、端末装置からの発呼情報を送信する際の送信電力を小さくするので、干渉の影響を低減できる。
【００５８】
以上、本発明を実施例をもとに説明した。この実施例は例示であり、それらの各構成要素や各処理プロセスの組合せにいろいろな変形例が可能なこと、またそうした変形例も本発明の範囲にあることは当業者に理解されるところである。
【００５９】
本実施例によれば、通信システム１００では、業務用無線システムが使用されている。しかしながらこれに限らず例えば、業務用無線システム以外の携帯電話等の無線通信システムが使用されてもよい。本変形例によれば、システムの自由度を向上できる。
【００６０】
本実施例によれば、制御装置１２は、基地局装置１４とは別に構成されており、ＩＰネットワーク１０を介して基地局装置１４に接続される。しかしながらこれに限らず例えば、制御装置１２は、いずれかの基地局装置１４に含まれることによって、両者は一体的に構成されてもよい。本変形例によれば、構成の自由度を向上できる。
【００６１】
本実施例によれば、制御装置１２から、発呼情報の送信タイミングを指示するパラメータとして送信時刻が使用されている。しかしながらこれに限らず例えば、同期制御用基準装置２０から得られるＰＰＳ（Ｐｕｌｓｅ  Ｐｅｒ  ｓｅｃｏｎｄ）信号をもとに導出したカウンタ値が使用されてもよい。本変形例によれば、構成の自由度を向上できる。
【００６２】
本実施例においてＩＰネットワーク１０を例にして説明している。しかしながらこれに限らず例えば、ネットワークの伝送遅延時間が変動する他のネットワークであってもよい。本変形例によれば、構成の自由度を向上できる。
【符号の説明】
【００６３】
１０  ＩＰネットワーク、  １２  制御装置、  １４  基地局装置、  １６  端末装置、  １８  通信エリア、  ２０  同期制御用基準装置、  ３０  無線受信部、  ３２  第１取得部、  ３４  判定部、  ３６  通信部、  ３８  第２取得部、  ４０  検出部、  ４２  制御部、  ４４  無線送信部、  ５０  通信部、  ５２  パケット信号バッファ部、  ５４  判定部、  ５６  検出部、  ５８  パケット信号配信部、  １００  通信システム。
【図１】
2019062368.tif 000003
【図２】
2019062368.tif 000004
【図３】
2019062368.tif 000005
【図４】
2019062368.tif 000006
【図５】
2019062368.tif 000007
【図６】
2019062368.tif 000008
【図７】
2019062368.tif 000009
【図８】
2019062368.tif 000010
【図９】
2019062368.tif 000011
【図１０】
2019062368.tif 000012
【図１１】
2019062368.tif 000013
【図１２】
2019062368.tif 000014
【図１３】
2019062368.tif 000015
【図１４】
2019062368.tif 000016
【図１５】
2019062368.tif 000017
【図１６】
2019062368.tif 000018